(57)【特許請求の範囲】
【請求項１】
店内および作業室を有する店舗の空気を除湿する除湿システムであって、
水分吸着素子を回転して、水分吸着領域で水分を吸着するとともに、水分放出領域で水分を放出する回転型除湿装置と、
前記店舗内の空気を店舗内空気取入口から吸い込み、この空気を前記回転型除湿装置の水分吸着領域に通過させて店舗内空気吐出口から再び店舗内に戻す除湿用送風装置と、
再生用空気を取り入れ、この空気を再生ヒータおよび回転型除湿装置の水分放出領域に順次通過させて排出する再生用送風装置と、
前記店舗内空気取入口を店内に接続する店内側取入ダクトと、
前記店舗内空気吐出口を店内に接続する店内側吐出ダクトと、
前記店舗内空気取入口を作業室に接続する作業室側取入ダクトと、
前記店舗内空気吐出口を作業室に接続する作業室側吐出ダクトと、
前記店内側取入ダクトに設けられ、店内から店舗内空気取入口への流れを開閉する店内側取入ダンパと、
前記店内側吐出ダクトに設けられ、店舗内空気吐出口から店内への流れを開閉する店内側吐出ダンパと、
前記作業室側取入ダクトに設けられ、作業室から店舗内空気取入口への流れを開閉する作業室側取入ダンパと、
前記作業室側吐出ダクトに設けられ、店舗内空気吐出口から作業室への流れを開閉する作業室側吐出ダンパと、
前記各ダンパを制御して店内への通風または作業室への通風の一方に選択的に切り換えるダンパ制御手段と、
前記作業室内の湿度を検知する作業室湿度検知手段と、
この作業室湿度検知手段が検知した湿度が作業室湿度設定値以下になったと判断した際に、前記回転型除湿装置、除湿用送風装置、再生ヒータおよび再生用送風装置を停止させるとともに、除湿用送風装置への停止信号出力後、店内への通風に切り換える作業室通風終了手段とを備えていることを特徴としている除湿システム。
【請求項２】
店内および作業室を有する店舗の空気を除湿する除湿システムであって、
水分吸着素子を回転して、水分吸着領域で水分を吸着するとともに、水分放出領域で水分を放出する回転型除湿装置と、
前記店舗内の空気を店舗内空気取入口から吸い込み、この空気を前記回転型除湿装置の水分吸着領域に通過させて店舗内空気吐出口から再び店舗内に戻す除湿用送風装置と、
再生用空気を取り入れ、この空気を再生ヒータおよび回転型除湿装置の水分放出領域に順次通過させて排出する再生用送風装置と、
前記店舗内空気取入口を店内に接続する店内側取入ダクトと、
前記店舗内空気吐出口を店内に接続する店内側吐出ダクトと、
前記店舗内空気取入口を作業室に接続する作業室側取入ダクトと、
前記店舗内空気吐出口を作業室に接続する作業室側吐出ダクトと、
前記店内側取入ダクトに設けられ、店内から店舗内空気取入口への流れを開閉する店内側取入ダンパと、
前記店内側吐出ダクトに設けられ、店舗内空気吐出口から店内への流れを開閉する店内側吐出ダンパと、
前記作業室側取入ダクトに設けられ、作業室から店舗内空気取入口への流れを開閉する作業室側取入ダンパと、
前記作業室側吐出ダクトに設けられ、店舗内空気吐出口から作業室への流れを開閉する作業室側吐出ダンパと、
前記各ダンパを制御して店内への通風または作業室への通風の一方に選択的に切り換えるダンパ制御手段と、
作業室への通風に切り換えた後の経過時間である作業室通風時間を計測し、この作業室通風時間が通風時間設定値になったと判断した際に、前記回転型除湿装置、除湿用送風装置、再生ヒータおよび再生用送風装置を停止させるとともに、除湿用送風装置への停止信号出力後、店内への通風に切り換える作業室通風終了手段とを備えていることを特徴としている除湿システム。
【請求項３】
前記作業室への通風の終了前には、前記再生ヒータおよび再生用送風装置を稼働して除湿運転とすることを特徴としている請求項１または２記載の除湿システム。
【請求項４】
前記作業室通風時間が通風時間設定値になったと前記作業室通風終了手段が判断した時に、前記再生用送風装置が既に停止している際には、再生用送風装置に稼働信号を出力し、設定されている時間再生用送風装置を稼働させた後に、前記回転型除湿装置、除湿用送風装置、再生ヒータおよび再生用送風装置を停止させるとともに、除湿用送風装置の停止後前記各ダンパを制御して店内への通風に切り換える終了時除湿運転確保手段を備えていることを特徴としている請求項１または２記載の除湿システム。
【請求項５】
前記店内の湿度を検知する店内湿度検知手段が設けられ、
作業室への通風を行った後に店内への通風を行う際には、店内湿度検知手段の検知した店内の湿度に係わらず、前記再生ヒータおよび再生用送風装置を稼働して除湿運転とすることを特徴としている請求項１ないし４の何れか１項記載の除湿システム。
【請求項６】
前記店内の湿度を検知する店内湿度検知手段と、
店内への通風時に、前記店内湿度検知手段の検知した湿度が店内用設定湿度以下になると、前記再生ヒータおよび再生用送風装置を停止して除湿運転から送風運転に切り替え、一方、前記店内湿度検知手段の検知した湿度が店内用設定湿度を越えると、前記再生ヒータおよび再生用送風装置を稼働して送風運転から除湿運転に切り替える店内湿度管理手段と、
作業室への通風から店内への通風への切り換え後における店内への通風時の初期には、前記店内湿度管理手段による制御を設定時間停止し、前記再生ヒータおよび再生用送風装置を稼働して店内への通風開始時には除湿運転とする店内通風開始時除湿運転手段とを備えていることを特徴としている請求項１ないし４の何れか１項記載の除湿システム。
【発明の詳細な説明】
【０００１】
【発明の属する技術分野】
本発明は、商品などが陳列されている店内および食品などの商品を加工する作業室を有する店舗の除湿システムに関する。
【０００２】
【従来の技術】
従来、スーパーマーケットなどの店舗の店内（売場）の空気を除湿する除湿装置には、冷凍サイクルからなるクーラーなどの空調装置があり、この冷凍サイクルからなる空調装置では、冷却時に冷却器に霜や水滴などが付着し、この霜を除霜したり、また、水滴を落下させたりすることにより、除湿するものである。しかしながら、この様な空調装置では、店内の床付近の温度が低下しすぎることがある。また、店舗には所謂バックルームである作業室が設けられており、この作業室において食品の仕込み、調理およびパッキングなどの加工作業が行われる。この加工作業の際には水が使用されるとともに、作業後の洗浄の際にも水が使用される。そのため、作業室の湿度は高くなっている。しかしながら、従来の作業室は、クーラーなどの空調装置で温度調整は行われているが、湿度調整は行われていない。
【０００３】
【発明が解決しようとする課題】
ところで、店内の床付近の温度の低下（所謂「コールドアイル」）を防止するために、回転型除湿装置を用いた所謂デシカント空調装置を採用することが検討されている。このデシカント空調装置は、吐出する空気の温度を比較的高くすることができ、この温かい空気を床付近に吐出させるようにする。この様にすると、コールドアイルを解消することができる。
【０００４】
一方、作業室も、湿度を低下させたり、滅菌したり、また、機器を乾燥させたりするために、店内と同様に除湿することが検討されている。しかしながら、店内用回転型除湿装置および作業室用回転型除湿装置の２個の回転型除湿装置を設けると、設備コストがかかる。そこで、回転型除湿装置を店内の除湿および作業室の除湿の両者に兼用することが考えられるが、下記の如く種々の問題点が生じる。
（１）作業室では食品などを加工しているため、匂いが発生することがある。そして、作業室と店内の両者に同時に回転型除湿装置から送風すると、作業室の匂いが店内に流れ、店内が匂うことがある。
（２）また、作業室への送風と店内への送風とを交互に切り換えたとしても、回転型除湿装置を作業室と店内とで兼用していると、作業室の匂いが回転型除湿装置に残り、この回転型除湿装置に残った匂いが店内に流れることがある。
（３）回転型除湿装置からの空気は比較的温度が高いため、作業室の温度が高くなって、作業室に設置の機器に悪影響を与えることがある。
（４）作業室が複数設けられている場合に、各作業室を効率よく除湿することができないことがある。
【０００５】
本発明は、以上のような課題を解決するためのもので、店内および作業室の両者を効率よく除湿することができる除湿システムを提供することを目的としている。
【０００６】
【課題を解決するための手段】
本発明の除湿システムは、店内（１）および作業室（２，３）を有する店舗の空気を除湿する。そして、この除湿システムは、水分吸着素子（５１）を回転して水分吸着領域（５２）で水分を吸着するとともに水分放出領域（５３）で水分を放出する回転型除湿装置（４１）と、前記店舗内の空気を店舗内空気取入口（１２）から吸い込みこの空気を前記回転型除湿装置の水分吸着領域に通過させて店舗内空気吐出口（２１）から再び店舗内に戻す除湿用送風装置（４５）と、再生用空気を取り入れこの空気を再生ヒータ（４４）および回転型除湿装置の水分放出領域に順次通過させて排出する再生用送風装置（４６）と、前記店舗内空気取入口を店内に接続する店内側取入ダクト（１６ａ）と、前記店舗内空気吐出口を店内に接続する店内側吐出ダクト（２２ａ）と、前記店舗内空気取入口を作業室に接続する作業室側取入ダクト（１６ｂ，１６ｃ）と、前記店舗内空気吐出口を作業室に接続する作業室側吐出ダクト（２２ｂ，２２ｃ）と、前記店内側取入ダクトに設けられ店内から店舗内空気取入口への流れを開閉する店内側取入ダンパ（３１）と、前記店内側吐出ダクトに設けられ店舗内空気吐出口から店内への流れを開閉する店内側吐出ダンパ（３３）と、前記作業室側取入ダクトに設けられ作業室から店舗内空気取入口への流れを開閉する作業室側取入ダンパ（３２，７１，７２）と、前記作業室側吐出ダクトに設けられ店舗内空気吐出口から作業室への流れを開閉する作業室側吐出ダンパ（３４，７３，７４）と、前記各ダンパを制御して店内への通風または作業室への通風の一方に選択的に切り換えるダンパ制御手段と、作業室内の湿度を検知する作業室湿度検知手段（９，７７）と、この作業室湿度検知手段が検知した湿度が作業室湿度設定値以下になったと判断した際に、回転型除湿装置、除湿用送風装置、再生ヒータおよび再生用送風装置を停止させるとともに、除湿用送風装置への停止信号出力後、店内への通風に切り換える作業室通風終了手段とを備えている。
【０００７】
【０００８】
また、除湿システムが、各ダンパを制御して店内への通風または作業室への通風の一方に選択的に切り換えるダンパ制御手段と、作業室への通風に切り換えた後の経過時間である作業室通風時間を計測し、この作業室通風時間が通風時間設定値になったと判断した際に、回転型除湿装置、除湿用送風装置、再生ヒータおよび再生用送風装置を停止させるとともに、除湿用送風装置への停止信号出力後、店内への通風に切り換える作業室通風終了手段とを備えていることがある。
【０００９】
【００１０】
そして、除湿システムが、作業室への通風の終了前には、再生ヒータおよび再生用送風装置を稼働して除湿運転とすることがある。
【００１１】
さらに、除湿システムが、作業室通風時間が通風時間設定値になったと作業室通風終了手段が判断した時に、再生用送風装置が既に停止している際には、再生用送風装置に稼働信号を出力し、設定されている時間再生用送風装置を稼働させた後に、回転型除湿装置、除湿用送風装置、再生ヒータおよび再生用送風装置を停止させるとともに、除湿用送風装置の停止後各ダンパを制御して店内への通風に切り換える終了時除湿運転確保手段を備えていることがある。
【００１２】
そして、除湿システムには、店内の湿度を検知する店内湿度検知手段（７）が設けられ、作業室への通風を行った後に店内への通風を行う際には、店内湿度検知手段の検知した店内の湿度に係わらず、再生ヒータおよび再生用送風装置を稼働して除湿運転とすることがある。
【００１３】
また、除湿システムが、店内の湿度を検知する店内湿度検知手段と、店内への通風時に店内湿度検知手段の検知した湿度が店内用設定湿度以下になると、再生ヒータおよび再生用送風装置を停止して除湿運転から送風運転に切り替え、一方、店内湿度検知手段の検知した湿度が店内用設定湿度を越えると、再生ヒータおよび再生用送風装置を稼働して送風運転から除湿運転に切り替える店内湿度管理手段と、作業室への通風から店内への通風への切り換え後における店内への通風時の初期には、店内湿度管理手段による制御を設定時間停止し、再生ヒータおよび再生用送風装置を稼働して店内への通風開始時には除湿運転とする店内通風開始時除湿運転手段とを備えていることがある。
【００１４】
【００１５】
【００１６】
【発明の実施の形態】
次に、本発明における除湿システムの実施の第１の形態を図１ないし図７を用いて説明する。図１は実施の第１の形態の除湿システムの概略図である。図２は図１の除湿システムの除湿ユニットの概略図である。図３は制御装置の入出力の概略図である。図４は制御パターン１のタイムチャートである。図５は制御パターン１のフローチャートである。図６は制御パターン２のタイムチャートである。図７は制御パターン２のフローチャートである。
【００１７】
図１に示すように、スーパーマーケットなどの店舗には、冷却オープンショーケースなどの陳列台が設置されている店内（すなわち売場）１および、陳列台に陳列する食品などの商品を加工する作業室２，３が設けられている。店内１には店内温度を検出する店内温度検出装置６および店内湿度を検出する店内湿度検出装置７が設置されている。また、作業室２，３は２室設けられており、一方の作業室２には作業室温度を検出する作業室温度検出装置８および作業室湿度を検出する作業室湿度検出装置９が設置されている。
【００１８】
店内１および作業室２，３を除湿および空調するために、除湿ユニットとしての除湿空調ユニット１１が設置されている。この除湿空調ユニット１１の店舗内空気取入口１２は、取入ダクト１６を介して店内１の吸込口１７および作業室２，３の吸込口１８，１９に接続されている。この取入ダクト１６は、店内１の吸込口１７に接続される店内側取入ダクト１６ａ、各作業室２，３の吸込口１８，１９に接続される分岐ダクト１６ｂ，１６ｃ、この作業室用分岐ダクト１６ｂ，１６ｃが集合している集合ダクト１６ｄおよび、この集合ダクト１６ｄと店内側取入ダクト１６ａとが合流している統合ダクト１６ｅで構成され、統合ダクト１６ｅが除湿空調ユニット１１の店舗内空気取入口１２に接続されている。そして、作業室用分岐ダクト１６ｂ，１６ｃおよび集合ダクト１６ｄが作業室側取入ダクトを構成している。
【００１９】
一方、除湿空調ユニット１１の店舗内空気吐出口２１は、吐出ダクト２２を介して店内１の吐出口２６および作業室２，３の吐出口２７，２８に接続されている。この吐出ダクト２２は、店内１の吐出口２６に接続される店内側吐出ダクト２２ａ、各作業室２，３の吐出口２７，２８に接続される分岐ダクト２２ｂ，２２ｃ、この作業室用分岐ダクト２２ｂ，２２ｃが集合している集合ダクト２２ｄおよび、この集合ダクト２２ｄと店内側吐出ダクト２２ａとが合流している統合ダクト２２ｅで構成され、統合ダクト２２ｅが除湿空調ユニット１１の店舗内空気吐出口２１に接続されている。そして、作業室用分岐ダクト２２ｂ，２２ｃおよび集合ダクト２２ｄが作業室側吐出ダクトを構成している。また、除湿空調ユニット１１、取入ダクト１６および吐出ダクト２２などで、除湿空調システムが構成されている。
【００２０】
そして、上記ダクト１６，２２の空気の流れは、下記のモータダンパ３１〜３４で開閉制御される。店内１から除湿空調ユニット１１への空気の流れを開閉するモータダンパ３１は店内側取入ダクト１６ａに設けられている。作業室２，３から除湿空調ユニット１１への空気の流れを開閉するモータダンパ３２は作業室側の集合ダクト１６ｄに設けられている。除湿空調ユニット１１から店内１への空気の流れを開閉するモータダンパ３３は店内側吐出ダクト２２ａに設けられている。除湿空調ユニット１１から作業室２，３への空気の流れを開閉するモータダンパ３４は作業室側の集合ダクト２２ｄに設けられている。モータダンパ３１〜３４は、モータにより開閉する電動ダンパであり、開いている時にはダクト内の空気の流れを許容し、一方、閉じている時にはダクト内の空気の流れを遮断する。
【００２１】
図２に示すように、除湿空調ユニット１１は、回転型除湿装置４１、冷房用熱交換器４２、暖房用熱交換器４３、電気ヒータなどの再生ヒータ４４、除湿用送風装置４５および再生用送風装置４６を備えている。回転型除湿装置４１は所謂デシカント除湿機であり、この回転型除湿装置４１には、円板状のシリカゲルなどの水分吸着素子５１が設けられており、この水分吸着素子５１をモータ（図示しない）が回転駆動する。水分吸着素子５１に流れる空気の流路は、２個に仕切られており、一方が水分吸着領域５２に、他方が水分放出領域５３を流れる。そして、水分吸着素子５１は回転すると、水分吸着領域５２と水分放出領域５３とを交互に通過する。すなわち、水分吸着素子５１が回転すると、水分吸着領域５２に位置した部分は、水分放出領域５３に移動し、ついで、再び水分吸着領域５２に移動することを順次繰り返す。
【００２２】
除湿用送風装置４５により送風される空気流路は、上流側である店舗内空気取入口１２から、除湿用送風装置４５、回転型除湿装置４１の水分吸着領域５２、冷房用熱交換器４２、暖房用熱交換器４３および店舗内空気吐出口２１が順次接続されているとともに、店舗内空気取入口１２と除湿用送風装置４５との間に外気取入装置５６が接続されている。
【００２３】
そして、再生用送風装置４６により送風される空気流路は、上流側である再生空気取入口５８から、再生ヒータ４４、回転型除湿装置４１の水分放出領域５３、再生用送風装置４６および再生空気排気口５９が順次接続されている。また、除湿空調ユニット１１には、外気温度を検出する外気温度検出装置６１および外気湿度を検出する外気湿度検出装置６２が設けられている。さらに、制御装置６６が除湿空調ユニット１１に内蔵されている。
【００２４】
この制御装置６６はマイコンなどで構成されている。そして、図３に図示するように、この制御装置６６には、種々の電気部品が接続されているが、本発明に関係する電気部品としては、入力側に、店内温度検出装置６、店内湿度検出装置７、作業室温度検出装置８、作業室湿度検出装置９、外気温度検出装置６１および外気湿度検出装置６２などが接続され、一方、出力側に、モータダンパ３１〜３４、回転型除湿装置４１のモータ、再生ヒータ４４、除湿用送風装置４５および再生用送風装置４６などが接続されている。制御装置６６に接続される他の電気部品としては、たとえば、出力側に接続される冷房用熱交換器４２の媒体用のポンプ（図示せず）、暖房用熱交換器４３の媒体用のポンプ（図示せず）や外気取入装置５６などがある。また、制御装置６６にはタイマが内蔵されており、経過時間などを計測することができるとともに、制御用プログラムが記憶されている。さらに、制御装置６６には予め種々の設定値が設定される。
【００２５】
次に、この様に構成されている実施の形態の除湿システムで、店内１および作業室２，３を除湿する際の作動を説明する。店内１を除湿する際には、店内側取入ダクト１６ａのモータダンパ３１および店内側吐出ダクト２２ａのモータダンパ３３が開き、作業室側取入ダクトにおける集合ダクト１６ｄのモータダンパ３２および作業室側吐出ダクトにおける集合ダクト２２ｄのモータダンパ３４が閉じている。一方、作業室２，３を除湿する際には、店内側取入ダクト１６ａのモータダンパ３１および店内側吐出ダクト２２ａのモータダンパ３３が閉じ、集合ダクト１６ｄのモータダンパ３２および集合ダクト２２ｄのモータダンパ３４が開いている。作業室２，３の臭気が店内１に流れないように、店内１および作業室２，３の何れか一方が選択的に除湿される。
【００２６】
そして、除湿時には、除湿用送風装置４５、再生用送風装置４６および再生ヒータ４４が稼働するとともに、回転型除湿装置４１の水分吸着素子５１がモータにより回転される。そして、除湿用送風装置４５の稼働により、店舗内空気取入口１２から店内１または作業室２，３の空気が吸い込まれ、回転型除湿装置４１の水分吸着領域５２に流入する。この水分吸着領域５２において、空気に含まれる水分が水分吸着素子５１に吸着され、空気の湿度が低下する。また、水分吸着素子５１に吸着された水分は、水分吸着素子５１の回転とともに、水分吸着領域５２から水分放出領域５３に移動する。この水分放出領域５３には、後述するように再生ヒータ４４で加熱された外気が流入しており、水分吸着素子５１から水分を放出させ、乾燥させる。また、加熱された外気により、水分吸着素子５１の温度は上昇する。この水分吸着素子５１の温度が上昇しかつ乾燥した部分は、水分吸着素子５１の回転とともに、水分放出領域５３から水分吸着領域５２に移動し、前述のように、店舗内空気取入口１２からの空気の水分を吸着するとともに、空気の温度を上昇させる。
【００２７】
水分吸着領域５２からの低湿度でかつ比較的高い温度の空気は、温度調整装置である冷房用熱交換器４２および暖房用熱交換器４３を通り、温度調整された後に、店舗内空気吐出口２１から店内１または作業室２，３に吐出される。そして、店内１または作業室２，３に外気を導入する際には、外気取入装置５６を開く。この外気取入装置５６から外気が導入され、除湿用送風装置４５、回転型除湿装置４１、冷房用熱交換器４２および暖房用熱交換器４３を通って、店舗内空気吐出口２１を介して店内１または作業室２，３に吐出される。
【００２８】
再生用送風装置４６の稼働により、再生空気取入口５８から再生用空気である外気を吸い込み、吸い込まれた再生用空気は再生ヒータ４４で加熱されて、温度が上昇し、水分吸着素子５１の水分放出領域５３に流入する。この水分放出領域５３において、再生用空気は水分吸着素子５１から水分を放出させる。水分吸着素子５１は乾燥して再生するとともに、再生用空気の湿度は上昇する。この湿度の上昇した再生用空気は再生空気排気口５９から排出される。この様にして、店内１や作業室２，３からの空気の水分は店舗内空気取入口１２から、回転している回転型除湿装置４１を介して再生空気排気口５９から外部へ放出される。
【００２９】
また、店内１や作業室２，３が十分に除湿されると、除湿空調ユニット１１は除湿運転から、送風運転に切り替わる。除湿運転では、前述のように、除湿用送風装置４５、回転型除湿装置４１、再生用送風装置４６および再生ヒータ４４が稼働している。一方、送風運転では、除湿用送風装置４５は稼働しているが、再生用送風装置４６、再生ヒータ４４および回転型除湿装置４１は停止している。なお、回転型除湿装置４１は稼働して回転していることも可能である。
【００３０】
次に、制御装置６６による制御パターンの例を説明する。制御パターンは種々考えられるが、代表的なものを下記に示す。
制御パターン（１）
図４のタイムチャートおよび図５のフローチャートでは、モータダンパ３１〜３４を開閉することにより、店内１への送風と作業室２，３への送風とを交互に切り換えている。そして、モータダンパ３１〜３４の開閉の際の前後において、除湿用送風装置４５の送風を停止させ、差圧によるモータダンパ３１〜３４の誤動作などを防止している。
【００３１】
図５において、ステップ０の初期状態において、除湿空調ユニット１１は除湿運転または送風運転であり、除湿用送風装置４５は稼働しているとする。また、モータダンパ３１，３３が開き、モータダンパ３２，３４が閉じており、除湿空調ユニット１１から店内１に通風する様に、モータダンパ３１〜３４が切り換わっているものとする。
【００３２】
そして、ステップ１において、手動または自動により、制御装置６６に通風の切換信号が生成されると、制御装置６６は除湿用送風装置４５に停止信号を出力し、除湿用送風装置４５を停止させる。ついで、ステップ２において、制御装置６６はダンパ切換前設定時間である１分が経過したか否かを判定し、１分経過後ステップ３に行く。ステップ３において、制御装置６６はモータダンパ３１〜３４に稼働信号を出力する。すなわち、モータダンパ３１，３３に閉信号を出力して閉じ、かつ、モータダンパ３２，３４に開信号を出力して開ける。この様にして、通風が作業室２，３側となるように、モータダンパ３１〜３４を切り換える。
【００３３】
そして、ステップ４に行き、制御装置６６はダンパ切換後設定時間である５分が経過したか否かを判定し、５分経過後ステップ５に行く。ステップ５において、制御装置６６は除湿用送風装置４５に稼働信号を出力し、送風を開始する。ついで、ステップ１に戻り、制御装置６６に次の切換信号が生成されると、ステップ１からステップ５を繰り返し、モータダンパ３１〜３４を稼働して、通風を店内１側に切り換える。
【００３４】
制御パターン（２）
図６のタイムチャートおよび図７のフローチャートは、除湿空調システムの１日の動作例であり、開店中は店内１の除湿を行い、閉店後、作業室２，３の除湿を行う。そして、作業室２，３の除湿が終了すると、除湿空調ユニット１１は停止する。また、除湿空調ユニット１１からの空気の温度は比較的高いため、作業室２，３の温度が上昇しすぎ、作業室２，３に設置の機器に悪影響を与えるおそれがある。そのため、作業室２，３の温度が上昇すると、除湿空調ユニット１１の運転モードを除湿運転から送風運転に切り替え、その後、作業室２，３の温度が低下すると、送風運転から除湿運転に切り替えている。
【００３５】
図７において、ステップ１０の初期状態において、除湿空調ユニット１１は停止している。また、モータダンパ３１，３３が開き、モータダンパ３２，３４が閉じており、除湿空調ユニット１１から店内１に通風する様に、モータダンパ３１〜３４が切り換わっているものとする。
【００３６】
そして、ステップ１１において、制御装置６６は、予め設定されている店内通風初期除湿確保時間である開店２０分前になったか否かを判断し、２０分前になるとステップ１２に行く。ステップ１２において、制御装置６６は除湿空調ユニット１１に除湿運転開始信号を出力する。すなわち、制御装置６６は除湿用送風装置４５、回転型除湿装置４１のモータ、再生ヒータ４４および再生用送風装置４６に稼働信号を出力する。すると、除湿空調ユニット１１は除湿運転を行う。ついで、ステップ１３に行く。ステップ１３において、制御装置６６は、予め設定されている開店時間になったか否かを判断し、開店時間になるとステップ１４に行く。
【００３７】
ステップ１４において、除湿空調ユニット１１は通常運転となる。すなわち、制御装置６６は店内湿度検出装置７の検出した店内湿度が、制御装置６６に予め設定されている店内設定湿度以下か否かを判定し、以下の場合はステップ１６に行き、制御装置６６は除湿空調ユニット１１を送風運転モードにし、ステップ１７に行く。一方、ステップ１４において、制御装置６６が店内設定湿度を越えていると判定すると、ステップ１５に行き、制御装置６６は除湿空調ユニット１１を除湿運転モードにし、ステップ１７に行く。
【００３８】
ステップ１７において、制御装置６６は予め設定されている閉店時間になったか否かを判定し、閉店時間になっていない場合には、ステップ１４に戻る。一方、閉店時間になった場合には、ステップ１８に行く。ステップ１８において、制御装置６６はモータダンパ３１〜３４にダンパ稼働信号を出力し、通風を作業室２，３側に切り換え、ステップ１９に行く。ステップ１９において、制御装置６６は作業室温度検出装置８が検出する作業室温度が、予め設定されている作業室設定温度である４０℃以上になったか否かを判定し、以上の場合はステップ２１に行き、制御装置６６は除湿空調ユニット１１を送風運転モードにし、ステップ２２に行く。一方、ステップ１９において、制御装置６６が作業室設定温度未満であると判定すると、ステップ２０に行き、制御装置６６は除湿空調ユニット１１を除湿運転モードにし、ステップ２２に行く。
【００３９】
ステップ２２において、制御装置６６は、作業室２，３の除湿の開始からの計測時間が予め設定されている作業室通風時間である３時間になったか否かを判定し、作業室通風時間になっていない場合には、ステップ１９に戻る。一方、作業室通風時間になった場合には、ステップ２３に行く。ステップ２３において、制御装置６６は除湿空調ユニット１１に停止信号を出力し、除湿空調ユニット１１を停止させ、ステップ２４に行く。ステップ２４において、制御装置６６はモータダンパ３１〜３４にダンパ稼働信号を出力し、通風を店内１側に切り換え、ステップ１１に戻る。
なお、ステップ１８における通風切換は、制御パターン１のステップ２〜４と同様に、ダンパ稼働信号の出力の一分前から５分後までの間、除湿用送風装置４５の送風を停止している。
【００４０】
制御パターン（３）
前述の制御パターン（２）のステップ２２の作動に代えて、制御装置６６は、作業室湿度検出装置９の検出した作業室湿度が、予め設定されている作業室設定湿度（たとえば３０％）以下になったか否かを判定している。そして、以下の場合には、ステップ２３に行き、作業室設定湿度を越えている場合にはステップ１９に行く。
【００４１】
制御パターン（４）
前述の制御パターン（２）のステップ２２とステップ２３との間に、次のステップ２２−１およびステップ２２−２を挿入する。ステップ２２−１において、制御装置６６は除湿空調ユニット１１の運転モードが送風運転か除湿運転かを判定する。そして、送風運転の場合には、ステップ２２−２に行き、制御装置６６に予め設定されている時間、除湿運転を行った後に、ステップ２３に行く。一方、ステップ２２−１において、除湿運転の場合には、直ちにステップ２３に行く。
【００４２】
この様にして、制御手段である制御装置は、各ダンパを制御して店内への通風または作業室への通風の一方に選択的に切り換えるダンパ制御手段と、このダンパ制御手段がダンパ稼働信号を出力してモータダンパを作動させる際に、そのダンパ稼働信号の出力前に除湿用送風装置に停止信号を出力し、かつ、除湿用送風装置の稼働信号を前記ダンパ稼働信号の出力以降に出力して、ダンパの作動時に除湿用送風装置４５の送風を停止させる通風切換時送風停止制御手段などを具備している。また、作業室湿度検出装置が検出した湿度が作業室湿度設定値以下になったと判断した際に、回転型除湿装置、除湿用送風装置、再生ヒータおよび再生用送風装置を停止させるとともに、除湿用送風装置への停止信号出力後店内への通風に切り換える作業室通風終了手段などを具備している場合がある。
この様に、制御装置は、上記手段以外にも、実行される各作用に対応して各作用を実行する手段を具備している。また、上記に記載された手段の全てを具備している必要は必ずしもない。
【００４３】
次に、本発明における除湿システムの実施の第２の形態について図８を用いて説明する。図８は実施の第２の形態の除湿システムの概略図である。なお、この実施の第２の形態の説明において、前記実施の第１の形態の構成要素に対応する構成要素には同一符号を付して、その詳細な説明は省略する。
【００４４】
図８は、実施の第１の形態の図１に対応する図であり、第１作業室２と第２作業室３とが個別に通風の切り換えが可能となるように、作業室側集合ダクト１６ｄ，２２ｄに設けられていたモータダンパ３２，３４に代えて、各作業室側分岐ダクト１６ｂ，１６ｃ，２２ｂ，２２ｃにモータダンパ７１〜７４が設けられている。そして、モータダンパ７１およびモータダンパ７４を開けると、第２作業室３に通風可能となり、また、モータダンパ７２およびモータダンパ７３を開けると、第１作業室２に通風可能となる。モータダンパ７１〜７４は制御装置６６により制御される。さらに、第１作業室２に作業室温度検出装置８および作業室湿度検出装置９が設けられているが、第２作業室３にも作業室温度検出装置７６および作業室湿度検出装置７７が設けられ、制御装置６６は作業室２，３への通風を各作業室２，３毎に個別に制御することができる。また、他の制御に関しては、この実施の第２の形態の除湿空調システムにおいても、実施の第１の形態の除湿空調システムと略同様にして、制御装置６６で制御される。
【００４５】
前述のように、実施の形態では、モータダンパ３１〜３４，７１〜７４の切り換えの前後には除湿用送風装置４５が停止しているので、差圧によるモータダンパ３１〜３４，７１〜７４の誤動作などを防止することができる。
また、店内１への通風と作業室２，３への通風とを選択的に切り換えているので、作業室２，３の臭気が店内１に流れることを極力防止することができる。
【００４６】
さらに、作業室２，３への送風モードにした後に、店内１に送風する場合には、作業室２，３への送風モード時に、作業室２，３の臭気が回転型除湿装置４１の水分吸着素子５１に吸着され、店内１への送風の際に、水分吸着素子５１に吸着された臭気が店内１に流れることがある。そこで、作業室２，３への送風モードにした後に、店内１に送風する際には、除湿空調ユニット１１の運転モードを一旦除湿運転にして、作業室２，３の臭気が店内１内に流れないようにしている。
【００４７】
そして、作業室温度検出装置８が設けられ、作業室温度が高くなると、除湿運転から送風運転に切り替えているので、作業室２，３の温度が上昇して、作業室２，３に設置されている機器に悪影響を与えることを極力防止することができる。
【００４８】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態では、除湿ユニットは除湿空調ユニットであるが、空調機能は必ずしも必要ではない。たとえば、冷房用熱交換器や暖房用熱交換器を設けないことも可能である。
【００４９】
（２）店内温度検出装置６および店内湿度検出装置７は、店内１の温度や湿度を検知することができるならば、その構造や配置などは適宜変更可能である。たとえば、温度センサやサーモスタットなどでも可能であるし、また、店内１以外の場所（例、ダクトや除湿空調ユニット内）に設置することも可能である。同様に、作業室温度検出装置８および作業室湿度検出装置９は、作業室２，３の温度や湿度を検知することができるならば、その構造や配置などは適宜変更可能である。
（３）除湿用送風装置４５は空気流路の上流側に、また、再生用送風装置４６は空気流路の下流側に設けられているが、配置は適宜変更可能である。
【００５０】
（４）外気取入装置５６は必ずしも設ける必要はない。
（５）制御装置６６に設定される各設定値は、適宜変更可能である。
【００５１】
（６）水分吸着素子５１の材質は、水分を吸着できかつ再生可能なものであれば適宜選択可能であり、シリカゲル以外のものでも可能である。
（７）再生ヒータ４４は再生用空気（外気）を加熱することができるならば、電気ヒータに限定されず、その構造や形式は適宜選択可能である。
（８）各制御パターンは適宜変更可能である。また、各制御パターンを組み合わせることも可能である。
（９）作業室への通風を行った後に店内への通風を行う際に、作業室の湿度に係わらず、除湿運転が行われているが、この除湿運転の時期は作業室の通風終了後、店内への送風が開始されるまでの間であれば、何時でも可能である。
（１０）店内（売場）の個数や作業室の個数は適宜変更可能で、単数でも、また、複数でも可能である。
【００５２】
【発明の効果】
本発明によれば、回転型除湿装置で店内および作業室を除湿しているので、店内の温度を下げないで効率よく除湿することができる。その結果、コールドアイルを極力防止することができる。そして、店内だけではなく、作業室も除湿でき、作業室の滅菌および、作業室に設置の機器の乾燥を行うことができる。また、各ダンパを制御して店内への通風または作業室への通風の一方に選択的に切り換えるダンパ制御手段が設けられているので、回転型除湿装置を店内の除湿および作業室の除湿の両者に兼用して使用することができるとともに、店内および作業室へ同時に送風することがなく、作業室の臭気が店内に流れることを極力防止することができる。
【００５３】
そして、作業室湿度検知手段が検知した湿度が作業室湿度設定値以下になったと判断した際に、回転型除湿装置、除湿用送風装置、再生ヒータおよび再生用送風装置を停止させるとともに、除湿用送風装置への停止信号出力後、各ダンパを制御して店内への通風に切り換える作業室通風終了手段を設けることにより、作業室の湿度が低くなると、作業室の除湿を停止させるとともに、店内への通風に切り換えることができる。その結果、作業室を不必要に長時間除湿することを防止することができ、ランニングコストを削減することができる。
【００５４】
さらに、作業室への通風に切り換えた後の経過時間である作業室通風時間を計測し、この作業室通風時間が通風時間設定値になったと判断した際に、回転型除湿装置、除湿用送風装置、再生ヒータおよび再生用送風装置を停止させるとともに、除湿用送風装置への停止信号出力後、各ダンパを制御して店内への通風に切り換える作業室通風終了手段を設けることにより、作業室の除湿を所定時間行うと、作業室の除湿を停止させるとともに、店内への通風に切り換えることができる。その結果、作業室を不必要に長時間除湿することを防止することができ、ランニングコストを削減することができる。
【００５５】
【００５６】
また、作業室への通風の終了前には、再生用送風装置を稼働して除湿運転としており、回転型除湿装置の水分吸着素子に吸着された作業室の臭気を、再生用送風装置の稼働により外気とともに外に放出することができる。その結果、水分吸着素子に吸着された作業室の臭気が店内に流れることを極力防止することができる。
【００５７】
さらに、作業室通風時間が通風時間設定値になったと作業室通風終了手段が判断した時に、再生用送風装置が既に停止している際には、再生用送風装置に稼働信号を出力し、設定されている時間再生用送風装置を稼働させた後に、回転型除湿装置、除湿用送風装置、再生ヒータおよび再生用送風装置を停止させるとともに、除湿用送風装置の停止後各ダンパを制御して店内への通風に切り換える終了時除湿運転確保手段を設けることにより、回転型除湿装置の水分吸着素子に吸着された作業室の臭気を、再生用送風装置の稼働により外気とともに外に放出することができ、その後、店内への通風に切り換えている。その結果、水分吸着素子に吸着された作業室の臭気が店内に流れることを極力防止することができる。
【００５８】
そして、作業室への通風を行った後に店内への通風を行う際には、店内湿度検知手段の検知した店内の湿度に係わらず、再生ヒータおよび再生用送風装置を稼働して除湿運転としているため、回転型除湿装置の水分吸着素子に吸着された作業室の臭気を、再生用送風装置の稼働により外気とともに外に放出することができる。その結果、水分吸着素子に吸着された作業室の臭気が店内に流れることを極力防止することができる。
【００５９】
また、作業室への通風から店内への通風への切り換え後における店内への通風時の初期には、店内湿度管理手段による制御を設定時間停止し、再生ヒータおよび再生用送風装置を稼働して店内への通風開始時には除湿運転とする店内通風開始時除湿運転手段を設けることにより、回転型除湿装置の水分吸着素子に吸着された作業室の臭気を、再生用送風装置の稼働により外気とともに外に放出することができる。その結果、水分吸着素子に吸着された作業室の臭気が店内に流れることを極力防止することができる。
【図面の簡単な説明】
【図１】  図１は実施の第１の形態の除湿システムの概略図である。
【図２】  図２は図１の除湿システムの除湿ユニットの概略図である。
【図３】  図３は制御装置の入出力の概略図である。
【図４】  図４は制御パターン１のタイムチャートである。
【図５】  図５は制御パターン１のフローチャートである。
【図６】  図６は制御パターン２のタイムチャートである。
【図７】  図７は制御パターン２のフローチャートである。
【図８】  図８は実施の第２の形態の除湿システムの概略図である。
【符号の説明】
１  店内
２  作業室
３  作業室
７  店内湿度検出装置（店内湿度検知手段）
８  作業室温度検出装置（作業室温度検知手段）
９  作業室湿度検出装置（作業室湿度検知手段）
１２  店舗内空気取入口
１６ａ  店内側取入ダクト
１６ｂ  分岐ダクト（作業室側取入ダクト）
１６ｃ  分岐ダクト（作業室側取入ダクト）
１６ｄ  集合ダクト（作業室側取入ダクト）
２１  店舗内空気吐出口
２２ａ  店内側吐出ダクト
２２ｂ  分岐ダクト（作業室側吐出ダクト）
２２ｃ  分岐ダクト（作業室側吐出ダクト）
２２ｄ  集合ダクト（作業室側吐出ダクト）
３１  モータダンパ（店内側取入ダンパ）
３２  モータダンパ（作業室側取入ダンパ）
３３  モータダンパ（店内側吐出ダンパ）
３４  モータダンパ（作業室側吐出ダンパ）
４１  回転型除湿装置
４４  再生ヒータ
４５  除湿用送風装置
４６  再生用送風装置
５１  水分吸着素子
５２  水分吸着領域
５３  水分放出領域
６６  制御装置
７１  モータダンパ（作業室側取入ダンパ）
７２  モータダンパ（作業室側取入ダンパ）
７３  モータダンパ（作業室側吐出ダンパ）
７４  モータダンパ（作業室側吐出ダンパ）
７６  作業室温度検出装置（作業室温度検知手段）
７７  作業室湿度検出装置（作業室湿度検知手段）
【図１】
0003838629.tif 000002
【図２】
0003838629.tif 000003
【図３】
0003838629.tif 000004
【図４】
0003838629.tif 000005
【図５】
0003838629.tif 000006
【図６】
0003838629.tif 000007
【図７】
0003838629.tif 000008
【図８】
0003838629.tif 000009